(57)【特許請求の範囲】
【請求項１】
液化石油ガスを貯蔵した携帯式液化石油ガス貯蔵容器(２)の上壁に着脱可能に固定する器具栓ブロック(３)と、器具栓ブロック(３)から上向きに導出した空燃混合管(４)と、空燃混合管(４)の上端部に配置した火口形成部材(５)と、器具栓ブロック(３)の上面に回動並びに出退可能に配置した線状体製五徳(６)とで構成した携帯式ガスバーナであって、
器具栓ブロック(３)をバルブブロック(８)と、このバルブブロック(８)の上面に配置したベース体(９)とで構成し、バルブブロック(８)とベース体(９)との接当面のいずれか一方にＣ型に形成した線バネ(12)を収容するバネ収容溝(13)を凹設し、このバネ収容溝(13)の外周縁から線状体製五徳(６)の一部がバネ収容溝(13)内に突入する状態に線状体製五徳挿通孔(11)をベース体(９)及びバルブブロック(８)に亘って形成し、線状体製五徳(６)の下端寄り部分に線バネ(12)と係合する切欠き(18)を形成したことを特徴とする携帯式ガスバーナ。
【請求項２】
火口形成部材(５)を風防筒(21)の内部に金属繊維製バーナエレメント(22)を装着して形成した請求項１に記載の携帯式ガスバーナ。
【請求項３】
風防筒(21)の底壁部分で線状体製五徳(６)の中間折り曲げ部分を受け止めるように構成した請求項２に記載の携帯式ガスバーナ。
【発明の詳細な説明】
【０００１】
【発明の属する分野】
本発明は、登山、キャンプ、ハイキング等、いわゆるアウトドアで飲食物の煮炊に使用される携帯式ガスバーナに関し、特に火口形成部材と直結する器具栓ブロックをガスカートリッジに着脱自在に固定する形式の携帯用ガスバーナに関する。
【０００２】
【従来の技術】
登山やハイキングに携行する携帯式のガスバーナは、液化石油ガス貯蔵容器の上壁に空燃混合管を連出した器具栓ブロックを螺合し、空燃混合管の上端部にバーナヘッドを連結した構成になっており、携行時にコンパクトに収納できるものでありながら、使用時には煮炊具を安定して支持できことが要求される。そこで、本出願人は、先に五徳を折り曲げ形成した線状体で構成し、この線状体製五徳を器具栓ブロックの上面に回動−固定切り換え可能に構成したものを提案した(実開平２−４８７０５号)。
【０００３】
【発明が解決しようとする課題】
ところが、先に提案した線状体製五徳は、各線状体の基端部に突起を形成するとともに、この突起が挿通する縦孔を器具栓ブロックに透設し、この縦孔の上端周縁部分に突起係合部を凹設した構成になっていた。そして、線状体製五徳のセット姿勢と収納姿勢とをスムーズに行えるようにするため、縦孔や突起係合部が線状体の基端ぶに形成した突起の寸法よりも大きく形成してあった。このため、線状体製五徳を使用姿勢にセットした際に、ガタツキが生じ、煮炊具支持の安定性に疑問を生じさせることがあった。
【０００４】
本発明は、このような点に着目してなされたもので、小型で携行性に優れ、かつ五徳の姿勢切り換え操作が簡単なものでありながら、線状体製五徳を安定して支持することができる携帯式ガスバーナを提供することを目的とする。
【０００５】
【課題を解決するための手段】
上述の目的を達成するために本発明は、液化石油ガスを貯蔵した携帯式液化石油ガス貯蔵容器の上壁に着脱可能に固定する器具栓ブロックと、器具栓ブロックから上向きに導出した空燃混合管と、空燃混合管の上端部に配置した火口形成部材と、器具栓ブロックの上面に回動並びに出退可能に配置した線状体製五徳とで構成した携帯式ガスバーナにおいて、器具栓ブロックをバルブブロックと、このバルブブロックの上面に配置したベース体とで構成し、バルブブロックとベース体との接当面のいずれか一方にＣ型に形成した線バネを収容するバネ収容溝を凹接し、このバネ収容溝の外周縁から線状体製五徳の一部がバネ収容溝内に突入する状態に線状体製五徳挿通孔をベース体及びバルブブロックに亘って形成し、線状体製五徳の下端寄り部分に線バネと係合する切欠きを形成したことを特徴としている。
【０００６】
【発明の作用】
本発明では、器具線ブロックに線状体を折り曲げることにより形成した五徳を出退及び回動可能に支持させた携帯式のガスバーナにおいて、器具栓ブロックをバルブブロックと、このバルブブロックの上面に配置したベース体とで構成し、バルブブロックとベース体との接当面のいずれか一方にＣ型に形成した線バネを収容するバネ収容溝を凹設し、このバネ収容溝の外周縁から線状体製五徳の一部がバネ収容溝内に突入する状態に線状体製五徳挿通孔をベース体及びに亘って形成し、線状体製五徳の下端寄り部分に線バネと係合する切欠きを形成しているので、線状体製五徳を引き出して放射方向に展開させた使用姿勢で、切欠きに線バネが係合して五徳を安定支持することができる。
【０００７】
一方、使用姿勢から収納姿勢に切換えるには、各線状体製五徳を少し回転させることにより、線状体に形成した切欠きから線バネが外れることになるから、線状体の軸方向への移動を円滑に行うことができる。
【０００８】
【実施形態】
図面は本発明の一実施形態を示し、図１は縦断面図、図２は図１のII−II線矢視図、図３は要部の取り出し斜視図である。
この携帯式ガスバーナ(１)は、液化石油ガスを貯蔵したガスカートリッジ(２)の上壁に形成されている接続口に螺着状態で着脱自在に固定される器具栓ブロック(３)と、この器具栓ブロック(３)の上面から上向きに導出した空燃混合管(４)と、この空燃混合管(４)の上端部に連通連結される火口形成部材(５)と、器具栓ブロック(３)から上向きに連出した五徳(６)とで構成してある。
【０００９】
器具栓ブロック(３)は、燃料噴射弁を内蔵し、周側壁から器具栓摘み(７)を突出させているバルブブロック(８)と、このバルブブロック(８)の上面部分を覆う状態に配置したベース体(９)とで構成してあり、器具栓摘み(７)の回転操作により燃料噴射弁の開閉度を調節し、ガスカートリッジ(２)からの液化ガス噴出量を調整するようにしてある
【００１０】
ベース体(９)には、五徳(６)を構成している線状体(10)を連出支持する線状体挿通孔(11)が形成してあり、この線状体挿通孔(11)はベース体(９)の上面外周縁部の周方向に沿って９０度ピッチで４カ所形成してあり、器具栓摘み(７)の突出方向とは４５度位相をずらして、ベース体(９)の上面からバルブブロック(８)の内部にまで穿設してある。
【００１１】
ベース(９)のバルブブロック(８)との当接面には、Ｃ型に形成した線バネ(12)を収容するバネ収容溝(13)が凹設してある。そして、前記線状体挿通孔(11)はバネ収容溝(13)の外周縁と一部がラップして形成してあり、線状体挿通孔(11)内に挿入した線状体(10)はバネ収容溝(13)内に少し突出する状態に位置している。
【００１２】
五徳(６)は折り曲げ形成した４本の線状体(10)で形成してあり、各線状体(10)の下部は垂直部(14)として形成され、上部は垂直部(14)から折り曲げ形成された下水平部(15)と、下水平部(15)から折り曲げ形成された立ち上がり傾斜部(16)と、立ち上がり傾斜部(16)から垂直部(14)の方向に折り戻された上水平部(17)とで形成してあり、この上水平部(17)の上面が煮炊具の載置部となっている。
【００１３】
線状体(10)の各垂直部(14)での下端寄り部における上水平部(17)の連出方向側面に係合用切欠き(18)がそれぞれ形成されており、垂直部(14)の下端部が器具栓ブロック(３)の線状体挿通孔(11)に挿入され、係合用切欠き(18)に線バネ(12)が嵌まり込むことにより、各線状体(10)の各上水平部(17)が火口形成部材(５)の周囲方向に放射状に張り出した使用姿勢で各線状体(10)を回り止めの状態で器具栓ブロック(３)に固定できるように構成されている。
【００１４】
空燃混合管(４)は、器具栓ブロック(３)の上面に突出しているガス噴出ノズル(19)を囲繞する状態で器具栓ブロック(３)の上面から上向きに連出してあり、その途中の周面部に一次空気取り込み口(20)が開口形成してある。ガスカートリッジ(２)からを介して供給される気化燃料ガスと一次空気取り込み口(20)から取り入れられる空気とを混合させ、混合気を火口形成部材(５)に供給する。
【００１５】
火口形成部材(５)は、空燃混合管(４)の上端部に固定した風防筒(21)と、この風防筒(21)の内部に配置したバーナエレメント(22)とで構成してある。バーナエレメント(22)は金属繊維を複数本束ねたものを平織りして形成した織布(23)と、この織布(23)の周縁部を風防筒(21)の底壁部分に圧着させるリング状の多孔板(24)とで形成してあり、織布(23)は多孔板(24)にスポット溶接で固定されている。そして、織布(23)が空燃混合管(４)の上端に形成される混合気噴出口(25)に対向する状態でバーナエレメント(22)が風防筒(21)内に装着固定されている。
【００１６】
なお、上記実施態様ではバーナエレメント(11)に、金属繊維を複数本束ねたものを平織りして形成した織布(12)を使用したが、織布(12)に代えて複数本束ねた金属繊維を編んで布帛状にしたものや、スチールウールを圧し固めて薄板状にしたものを使用してもよい。
【００１７】
上述のように構成した携帯用ガスバーナでは、線状体製五徳(６)を使用姿勢にすると線状体(10)の下端寄り部分に形成した係合用切欠き(18)に線バネ(12)が嵌まり込み、各線状体(10)を回り止めした状態で器具栓ブロック(３)に確り固定できることになる。このとき、各線状体(10)の下水平部(15)が火口形成部材(５)の風防筒(21)での底壁部分で受け止められる状態となるため、線状体(10)を引き上げても、抜け出すことはない。
【００１８】
次に、使用姿勢に有る線状体製五徳(６)を収納姿勢にする場合には、各線状体(10)をその垂直部(14)を中心として回動させることにより、線状(10)の下端寄り部分に形成した係合用切欠き(18)と線バネ(12)との係合が解除され、線バネ(12)は各線状体(10)の垂直部(14)での周面部分に当接する状態となるから、各線状体(10)を軽い力で押し込むことにより、垂直部が線状体挿通孔(11)に入り込婿とになる。そして、各各線状体(10)の上水平部(17)を器具栓摘み(７)の突出方向に集約させることにより、よりコンパクトに収納することができることになる。
【００１９】
【発明の効果】
本考案では、ガスカートリッジの上壁に直結固定する器具栓ブロックに線状体を折り曲げることにより形成した五徳を回転−出退可能に配置した携帯式のガスバーナにおいて、器具栓ブロックをバルブブロックと、このバルブブロックの上面に配置したベース体とで構成し、バルブブロックとベース体との接当面のいずれか一方にＣ型に形成した線バネを収容するバネ収容溝を凹設し、このバネ収容溝の外周縁から線状体製五徳の一部がバネ収容溝内に突入する状態に線状体製五徳挿通孔をベース体及バルブブロックに亘って形成し、線状体製五徳の下端寄り部分に線バネと係合する切欠きを形成しているので、線状体製五徳を引き出して放射方向に展開させた使用姿勢で、切欠きに線バネが係合して五徳を安定支持させるので、五徳がガタついたり、不測に退入したりすることがなくなる。
【００２０】
線状体製五徳の使用姿勢での姿勢保持を各線状体の下端寄り部分に形成した係合用切欠きと、その切欠きに嵌まり込む線バネで形成してあることから、簡単な操作で姿勢切換えを行うことができる。
【００２１】
さらに、本考案のガスバーナは、携行時に五徳を構成している各線状体を器具栓摘みの突出方向に回動させることにより、全線状体を一揃えに集約することにより、コンパクトに収納することができる。
【図面の簡単な説明】
【図１】一実施形態を示す縦断面図である。
【図２】図１のII−II線矢視図である。
【図３】要部の取り出し斜視図である。
【符号の説明】
２…携帯式液化石油ガス貯蔵容器、３…器具栓ブロック、４…空燃混合管、５…火口形成部材、６…線状体製五徳、８…バルブブロック、９…ベース体、12…線バネ、13…バネ収容溝、11…線状体製五徳挿通孔、18…切欠き、21…風防筒、22…金属繊維製バーナエレメント。
【図１】
0004007529.tif 000002
【図２】
0004007529.tif 000003
【図３】
0004007529.tif 000004